(57)【要約】【課題】アイキャッチが望まれるタイミングにだけ店舗等の照明空間を演出照明する照明システム及び照明装置の制御方法を提供する。【解決手段】照明システム５は、照明空間７に光を照射する照明装置１０と、照明空間７の外を通行する人の速度を検出する速度検出部２０と、速度検出部２０によって検出された速度が第１閾値よりも小さい場合に、照明装置１０（ここでは、演出照明装置１２）に対して、照射する光の色温度及び明るさの少なくとも一方を徐々に変化させることを繰り返す演出照明を行わせる制御をする。【選択図】図１
2018056009.tif 000002
【特許請求の範囲】
【請求項１】
照明空間に光を照射する照明装置と、
前記照明空間の外を通行する人の速度を検出する速度検出部と、
前記速度検出部によって検出された前記速度が第１閾値よりも小さい場合に、前記照明装置に対して、照射する光の色温度及び明るさの少なくとも一方を徐々に変化させることを繰り返す演出照明を行わせる制御をする制御装置と
を備える照明システム。
【請求項２】
前記第１閾値は、０．６５ｍ／ｓｅｃ以上で０．９０ｍ／ｓｅｃ以下の値である
請求項１記載の照明システム。
【請求項３】
前記制御装置は、前記速度検出部が前記第１閾値以上の第２閾値以下の速度で通行する人を検出しない場合に、前記照明装置に前記演出照明を行わせる制御を停止する
請求項１又は２記載の照明システム。
【請求項４】
さらに、前記照明空間にいる人の数を検出する第１人数検出部を備え、
前記制御装置は、前記第１人数検出部によって検出された人の数が第３閾値よりも大きい場合に、前記照明装置に前記演出照明を行わせる制御を停止する
請求項１〜３のいずれか１項に記載の照明システム。
【請求項５】
さらに、前記照明装置から所定の距離の範囲内にいる人の数を検出する第２人数検出部を備え、
前記制御装置は、前記第２人数検出部によって検出された人の数が第４閾値よりも大きい場合に、前記照明装置に前記演出照明を行わせる制御を停止する
請求項１〜４のいずれか１項に記載の照明システム。
【請求項６】
前記照明装置は、所定の並びで配置された複数の照明器具で構成され、
前記複数の照明器具は、前記演出照明では、所定の色温度又は明るさを発する光の位置を前記並びにおける一端から他端に向かって移動させることを繰り返す照射パターンで発光する
請求項１〜５のいずれか１項に記載の照明システム。
【請求項７】
前記照明装置は、所定の並びで配置された複数の照明器具で構成され、
前記複数の照明器具は、前記演出照明では、前記光の色温度及び明るさの少なくとも一方について、同じ値で、かつ、同じタイミングで徐々に変化させることを繰り返す照射パターンで発光する
請求項１〜５のいずれか１項に記載の照明システム。
【請求項８】
照明空間に光を照射する照明装置の制御方法であって、
前記照明空間の外を通行する人の速度を示す情報を取得するステップと、
取得された前記情報が示す速度が第１閾値よりも小さい場合に、前記照明装置に対して、照射する光の色温度及び明るさの少なくとも一方を徐々に変化させることを繰り返す演出照明を行わせる制御をするステップと
を含む照明装置の制御方法。
【発明の詳細な説明】
【技術分野】
【０００１】
本発明は、照明システム及び照明装置の制御方法に関し、特に、アイキャッチのために店舗等の照明空間を演出照明する照明システム及び照明装置の制御方法に関する。
【背景技術】
【０００２】
店舗への入店率を向上させるために店舗の前を通行する人へのアイキャッチを目的として店舗において演出照明を行う技術が提案されている（例えば、特許文献１参照）。
【０００３】
特許文献１では、店舗内の複数の光源の各光出力を一定時間だけ遅らせながらフェードイン及びフェードアウトさせることで、店舗のショーウィンドウ等の展示スペースに人が気付き易くなるというものである。
【先行技術文献】
【特許文献】
【０００４】
【特許文献１】特開２００７−０１２４７３号公報
【発明の概要】
【発明が解決しようとする課題】
【０００５】
しかしながら、特許文献１の技術では、店舗における演出照明ができるものの、常に演出照明が行われるために、店舗の高級感が損なわれたり、店舗にいる人に対して変化する照明を長時間行うことによって気分を悪くさせてしまったりする恐れがある。
【０００６】
そのために、店舗の近くで買い回りをしている通行人がいる可能性が高いとき等、アイキャッチが望まれるタイミングにだけ演出照明を行いたいという要望がある。
【０００７】
そこで、本発明は、アイキャッチが望まれるタイミングにだけ店舗等の照明空間を演出照明する照明システム及び照明装置の制御方法を提供することを目的とする。
【課題を解決するための手段】
【０００８】
上記目的を達成するために、本発明の一形態に係る照明システムは、照明空間に光を照射する照明装置と、前記照明空間の外を通行する人の速度を検出する速度検出部と、前記速度検出部によって検出された前記速度が第１閾値よりも小さい場合に、前記照明装置に対して、照射する光の色温度及び明るさの少なくとも一方を徐々に変化させることを繰り返す演出照明を行わせる制御をする制御装置とを備える。
【０００９】
また、上記目的を達成するために、本発明の一形態に係る照明装置の制御方法は、照明空間に光を照射する照明装置の制御方法であって、前記照明空間の外を通行する人の速度を示す情報を取得するステップと、取得された前記情報が示す速度が第１閾値よりも小さい場合に、前記照明装置に対して、照射する光の色温度及び明るさの少なくとも一方を徐々に変化させることを繰り返す演出照明を行わせる制御をするステップとを含む。
【発明の効果】
【００１０】
本発明により、アイキャッチが望まれるタイミングにだけ店舗等の照明空間を演出照明する照明システム及び照明装置の制御方法が提供される。
【図面の簡単な説明】
【００１１】
【図１】実施の形態に係る照明システムの構成を示す外観図
【図２】図１に示された照明システムのレイアウト図
【図３】実際の商業施設を通行する人の速度の分布についての実験データを示す図
【図４】図１に示された照明システムを構成する制御装置及び照明器具の構成を示すブロック図
【図５】実施の形態に係る照明システムの基本動作（演出照明制御）を示すフローチャート
【図６】実施の形態の第１変形例に係る照明システムのレイアウト図
【図７】実施の形態の第２変形例に係る照明システムの動作を示すフローチャート
【図８】実施の形態の第３変形例に係る照明システムのレイアウト図
【図９】実施の形態の第３変形例に係る照明システムの動作を示すフローチャート
【図１０】実施の形態の第４変形例に係る照明システムのレイアウト図
【図１１】実施の形態の第４変形例に係る照明システムの動作を示すフローチャート
【発明を実施するための形態】
【００１２】
以下、本発明の実施の形態について、図面を用いて詳細に説明する。なお、以下で説明する実施の形態は、いずれも本発明の一具体例を示すものである。以下の実施の形態で示される数値、照明形態、構成要素、構成要素の配置位置及び接続形態、ステップ、ステップの順序等は、一例であり、本発明を限定する主旨ではない。また、以下の実施の形態における構成要素のうち、本発明の最上位概念を示す独立請求項に記載されていない構成要素については、任意の構成要素として説明される。
【００１３】
図１は、実施の形態に係る照明システム５の構成を示す外観図である。図２は、図１に示された照明システム５のレイアウト図である。ここでは、商品を販売及び展示する店舗を照明空間７として演出照明をする照明システム５の例が示されている。
【００１４】
照明システム５は、店舗の外を通行する人（特に買い回りをしている人）に対して効率的にアイキャッチのための演出照明を行うシステムであり、照明装置１０、速度検出部２０、制御装置３０及び端末装置４０で構成される。なお、本実施の形態では、店舗の前（共用部）を図１及び図２に示された矢印の方向に通行する人に対して効率的にアイキャッチのための演出照明を行う例を説明する。店舗の前には間口ａが設けられ、店舗の前を通行する人が間口ａを通して、店舗の内部を見ることができる。
【００１５】
照明装置１０は、店舗の天井、壁、床等に設けられ、照明空間７に光を照射する照明器具の集まりであり、本実施の形態では、ベース照明装置１１及び演出照明装置１２で構成される（図２では、ベース照明装置１１の図示を省略している）。ベース照明装置１１は、定常的な照明を行う照明器具１１ａ〜１１ｉで構成される。演出照明装置１２は、店舗の外を通行する人に対してアイキャッチを目的とした動的照明、つまり、照射する光の色温度及び明るさの少なくとも一方を徐々に変化させることを繰り返す演出照明を行う照明器具１２ａ〜１２ｆで構成される。演出照明装置１２を構成する照明器具１２ａ〜１２ｆは、それぞれ、店舗の前を通行する人が店舗の間口ａから見え易い店舗内の壁を水平方向に分割して得られる各領域を照らすように、店舗の天井に所定の並び（ここでは、水平方向の並び）で配置されている。ベース照明装置１１は、例えば、直接照明によって照明空間７を照らすダウンライト、ユニバーサルダウンライト等である。一方、演出照明装置１２は、例えば、壁等での反射光を利用する間接照明によって照明空間７を照らす照明器具、ライトバーと呼ばれる細長い形状の照明器具、あるいは、光源を天井や壁等に組み込んで建築構造と一体化させた建築化照明と呼ばれる照明器具等である。
【００１６】
速度検出部２０は、照明空間７の外を通行する人の速度を検出する装置である。本実施の形態では、速度検出部２０は、予め定められた地点Ａと地点Ｂ（図２参照）で挟まれる歩行速度検知エリアにいる人の歩行速度を検知するための赤外線測距レーダーであり、検知した人の位置（速度検出部２０からの距離）を示す情報を出力する。なお、速度検出部２０は、人の速度を直接検出する装置だけでなく、赤外線測距レーダーのように、人の速度を検出するのに用いられる事象（例えば、人の位置、移動距離）を検出するセンサも含まれる。つまり、速度検出部２０は、人の速度を検出するのに用いられる事象を検出するセンサと、そのセンサから得た情報に基づいて人の速度を算出する演算部（本実施の形態では、制御装置３０）とを合わせたものであってもよい。
【００１７】
制御装置３０は、速度検出部２０によって検出された速度が第１閾値よりも小さい場合に、照明装置１０（ここでは、演出照明装置１２）に対して、演出照明を行わせる装置である。ここで、第１閾値は、端末装置４０によって予め設定される値であり、例えば、０．６５ｍ／ｓｅｃ以上で０．９０ｍ／ｓｅｃ以下の値である。図３は、第１閾値について好ましい範囲を決定するのに役立つ実験データを示す図であり、実際の商業施設を通行する人の速度の分布を示している。横軸は歩行速度（ｍ／ｓｅｃ）であり、縦軸は人数（相対値）である。この実験データと、人が買い回りをしているか通過しているかの観察結果とを対応させることで、買い回りをしている人の平均速度が０．６５ｍ／ｓｅｃであり、通行している人の平均速度が０．９０ｍ／ｓｅｃと判明した。よって、第１閾値を０．６５ｍ／ｓｅｃ以上で０．９０ｍ／ｓｅｃ以下の値に設定することで、買い回りをしている通行人がいる可能性が高いときにだけ演出照明を行うことが可能になる。例えば、第１閾値を０．９０ｍ／ｓｅｃに設定することで、図３の実線で囲まれた速度で通行する人が検知された場合に演出照明が行われる。
【００１８】
端末装置４０は、ユーザから受け付けた指示を制御装置３０に送る操作装置であり、例えば、タブレット端末やスマートフォン等である。ユーザは、例えば、端末装置４０を用いて、演出照明の態様（色温度、明るさ、色温度又は明るさを変化させる際の繰り返し周期、個々の照明器具での照明の変化におけるフェード時間等）を設定することができる。
【００１９】
図４は、図１に示された照明システム５を構成する制御装置３０及び照明装置１０（照明器具１１ａ〜１１ｉ及び１２ａ〜１２ｆ）の構成を示すブロック図である。
【００２０】
制御装置３０は、照明用Ｉ／Ｆ（インタフェース）３１、検出用Ｉ／Ｆ３２、端末用Ｉ／Ｆ３３、及び、制御部３４を備える。
【００２１】
照明用Ｉ／Ｆ３１、検出用Ｉ／Ｆ３２、及び、端末用Ｉ／Ｆ３３は、それぞれ、照明器具１１ａ〜１１ｉ及び１２ａ〜１２ｆ、速度検出部２０、並びに、端末装置４０とやりとりする通信インタフェースである。これらは、例えば、Ｗｉ−Ｆｉ、Ｂｌｕｅｔｏｏｔｈ（登録商標）等の無線通信、又は、シリアル伝送インタフェース等の有線通信用のインタフェースであり、独立したものであってもよいし、兼用された同一のものであってもよい。
【００２２】
制御部３４は、照明用Ｉ／Ｆ３１、検出用Ｉ／Ｆ３２及び端末用Ｉ／Ｆ３３を介して、それぞれ、照明器具１１ａ〜１１ｉ及び１２ａ〜１２ｆ、速度検出部２０並びに端末装置４０とやりとりすることで、照明装置１０に対する制御を行うコントローラである。制御部３４は、例えば、制御プログラムが格納されたＲＯＭ、ＲＡＭ、タイマ、制御プログラムを実行するＣＰＵ等で構成される。
【００２３】
照明器具１１ａ〜１１ｉ及び１２ａ〜１２ｆは、いずれも、同様の構成、つまり、光源１５、照明用Ｉ／Ｆ１６及び制御部１７を備える。
【００２４】
光源１５は、照明空間７に光を発する調色及び調光が可能な光源であり、例えば、ＲＧＢの３色の光を出射する複数のＬＥＤ及びそれらのＬＥＤのそれぞれに独立して電流を印加する電源回路等で構成される。
【００２５】
照明用Ｉ／Ｆ１６は、制御装置３０とやりとりする通信インタフェースであり、例えば、Ｗｉ−Ｆｉ、Ｂｌｕｅｔｏｏｔｈ（登録商標）等の無線通信、又は、シリアル伝送インタフェース等の有線通信用のインタフェースである。
【００２６】
制御部１７は、制御装置３０から照明用Ｉ／Ｆ１６を介して受信した制御命令に従って光源１５を制御する回路であり、例えば、制御プログラムが格納されたＲＯＭ、ＲＡＭ、制御プログラムを実行するＣＰＵ等で構成される。
【００２７】
次に、以上のように構成された本実施の形態に係る照明システム５の動作について説明する。
【００２８】
図５は、実施の形態に係る照明システム５の基本動作（演出照明制御）を示すフローチャートである。ここでは、照明装置１０の制御方法が示されている。
【００２９】
制御装置３０は、速度検出部２０から送られてくる情報を監視することで、店舗の前の共用部において、遠方から地点Ａ（図２参照）を通過した人（つまり、店舗に接近してくる人）がいるか否かを判断する（Ｓ１０）。本実施の形態では、速度検出部２０は、赤外線測距レーダーであり、検知した人の位置を示す情報を出力するので、制御装置３０は、地点Ａとして予め登録された位置を基準値として用いることで、遠方から地点Ａを通過した人の有無を判断する。
【００３０】
その結果、地点Ａを通過する人が検知されない場合には（Ｓ１０でＮｏ）、制御装置３０は、演出照明の必要がないと判断し、演出照明装置１２に対して、通常照明を行わせる（Ｓ１４）。具体的には、制御装置３０の制御部３４は、照明用Ｉ／Ｆ３１を介して演出照明装置１２（照明器具１２ａ〜１２ｆ）に制御命令を送ることで、照明する光の色温度及び明るさを所定値に固定した通常照明を行わせる。
【００３１】
一方、地点Ａを通過した人を検知した場合には（Ｓ１０でＹｅｓ）、制御装置３０は、速度検出部２０から送られてくる情報を用いることで、検知した人の速度（歩行速度）を算出する（Ｓ１１）。本実施の形態では、速度検出部２０は、赤外線測距レーダーであり、検知した人の位置を示す情報を出力するので、制御装置３０は、地点Ａを通過した人が地点Ｂを通過したことを検知し、その間の距離と時間とから速度を算出する。
【００３２】
次に、制御装置３０は、算出した速度が第１閾値よりも小さいか否かを判断する（Ｓ１２）。例えば、制御装置３０は、算出した速度が、第１閾値として設定された０．９０ｍ／ｓｅｃよりも小さいか否かを判断する。
【００３３】
その結果、算出した速度が第１閾値よりも小さくない場合には（Ｓ１２でＮｏ）、制御装置３０は、演出照明の必要がないと判断し、演出照明装置１２に対して、通常照明を行わせる（Ｓ１４）。
【００３４】
一方、算出した速度が第１閾値よりも小さい場合には（Ｓ１２でＹｅｓ）、制御装置３０は、買い回りをしている人が接近してきた可能性が高いと判断し、その人が店舗の間口ａを通過するまで、演出照明を行う（Ｓ１３）。具体的には、制御装置３０の制御部３４は、算出した速度を用いることで、その人が店舗の間口ａを通過し終えると予測される経過時間を算出する。そして、照明用Ｉ／Ｆ３１を介して演出照明装置１２（照明器具１２ａ〜１２ｆ）に制御命令を送ることで、算出した経過時間だけ、照射する光の色温度及び明るさの少なくとも一方を徐々に変化させることを繰り返す演出照明を行わせる。これによって、少なくとも、その人が店舗の間口ａを通過している間、つまり、その人が店舗の間口ａを通して演出照明装置１２を見ることができる期間、アイキャッチのための演出照明が行われる。
【００３５】
なお、演出照明では、制御装置３０からの制御命令に従って、照明器具１２ａ〜１２ｆは、例えば、所定の色温度又は明るさを発する光の位置を照明器具１２ａ〜１２ｆの並びにおける一端から他端に向かって移動させることを繰り返す照射パターンで発光する。あるいは、照明器具１２ａ〜１２ｆは、光の色温度及び明るさの少なくとも一方について、同じ値で、かつ、同じタイミングで徐々に変化させることを繰り返す照射パターンで発光する。演出照明の具体的な態様は、端末装置４０から事前の設定（色温度、明るさ、色温度又は明るさを変化させる際の繰り返し周期、個々の照明器具での照明の変化におけるフェード時間等）に依存して定まる。
【００３６】
ここで、演出照明における繰り返し周期として、例えば、間口ａの長さ（ｍ）／０．９（ｍ／ｓｅｃ）で得られる時間（ｓ）に設定される。これにより、平均的な速度で通行する人が間口ａを通過する間に、１周期分の演出照明がその人の目に入ることになり、効率的なアイキャッチが行われ得る。
【００３７】
以上の処理（Ｓ１０〜Ｓ１４）を終えると、制御装置３０は、再び、同様の処理（Ｓ１０〜Ｓ１４）を繰り返す。よって、例えば、買い回りをしている人が、次から次へと、遠方から地点Ａと地点Ｂとで挟まれる歩行速度検知エリアに入ってくる状態が継続する場合には、それらの全ての人が店舗の間口ａを通過し終えるまで、演出照明装置１２による演出照明が継続される。
【００３８】
以上のように、本実施の形態に係る照明システム５は、照明空間７に光を照射する照明装置１０と、照明空間７の外を通行する人の速度を検出する速度検出部２０と、それらを制御する制御装置３０とを備える。制御装置３０は、速度検出部２０によって検出された速度が第１閾値よりも小さい場合に、照明装置１０（ここでは、演出照明装置１２）に対して、照射する光の色温度及び明るさの少なくとも一方を徐々に変化させることを繰り返す演出照明を行わせる制御をする。つまり、制御装置３０は、速度検出部２０によって検出された速度が第１閾値よりも小さくない場合には、照明装置１０（ここでは、演出照明装置１２）に対する演出照明の制御を停止する。
【００３９】
これにより、店舗等の照明空間７の外を通行する人の速度が第１閾値よりも小さい場合に演出照明が行われるので、店舗の近くで買い回りをしている通行人がいる可能性が高いとき等、アイキャッチが望まれるタイミングにだけ演出照明を行うことが可能になる。よって、必要なタイミングだけに演出照明が行われるので、常に演出照明が行われる場合に比べて、店舗の高級感が損なわれたり、店舗にいる人に対して気分を悪くさせてしまったりする恐れが低くなる。そのことから、演出照明における色温度の幅や変化速度を大きく設定することができ、アイキャッチ効果を高めて入店率を向上させることができる。
【００４０】
また、第１閾値は、０．６５ｍ／ｓｅｃ以上で０．９０ｍ／ｓｅｃ以下の値である。
【００４１】
これにより、演出照明の判断基準となる速度として、現実の通行人の観察から得た買い回りの歩行速度が用いられるので、より的確に、店舗の近くで買い回りをしている通行人がいる可能性が高いときにだけ演出照明が行われる。
【００４２】
また、照明装置１０は、所定の並びで配置された複数の照明器具１２ａ〜１２ｆで構成される。そして、複数の照明器具１２ａ〜１２ｆは、演出照明では、所定の色温度又は明るさを発する光の位置を所定の並びにおける一端から他端に向かって移動させることを繰り返す照射パターンで発光する。
【００４３】
これにより、演出照明では、所定の並びで配置された複数の照明器具１２ａ〜１２ｆが所定の色温度又は明るさを発する光の位置を所定の並びにおける一端から他端に向かって移動させる動的照明を行う。よって、高いアイキャッチ効果で店舗等の照明空間７の外を通行する人の目をひくことができる。
【００４４】
あるいは、複数の照明器具１２ａ〜１２ｆは、演出照明では、光の色温度及び明るさの少なくとも一方について、同じ値で、かつ、同じタイミングで徐々に変化させることを繰り返す照射パターンで発光する。
【００４５】
これにより、演出照明では、所定の並びで配置された複数の照明器具１２ａ〜１２ｆが光の色温度及び明るさの少なくとも一方について、同じ値で、かつ、同じタイミングで徐々に変化させる動的照明を行う。よって、高いアイキャッチ効果で店舗等の照明空間７の外を通行する人の目をひくことができる。
【００４６】
また、本実施の形態に係る照明装置１０の制御方法は、照明空間７に光を照射する照明装置１０の制御方法であって、次のステップを含む。一つは、照明空間７の外を通行する人の速度を示す情報を取得するステップ（図５のＳ１１）である。もう一つは、取得された情報が示す速度が第１閾値よりも小さい場合に、照明装置１０（演出照明装置１２）に対して、演出照明を行わせる制御をするステップ（図５のＳ１２〜Ｓ１３）である。
【００４７】
これにより、店舗等の照明空間７の外を通行する人の速度が第１閾値よりも小さい場合に演出照明が行われるので、店舗の近くで買い回りをしている通行人がいる可能性が高いとき等、アイキャッチが望まれるタイミングにだけ演出照明を行うことが可能になる。よって、必要なタイミングだけに演出照明が行われるので、常に演出照明が行われる場合に比べて、店舗の高級感が損なわれたり、店舗にいる人に対して気分を悪くさせてしまったりする恐れが低くなる。そのことから、演出照明における色温度の幅や変化速度を大きく設定することができ、アイキャッチ効果を高めて入店率を向上させることができる。
【００４８】
なお、上記実施の形態では、店舗の前（共用部）を図１及び図２に示された一方向に通行する人を対象として演出照明をする照明システムの例が示されたが、店舗の前を両方向に通行する人を対象として演出照明をしてもよい。
【００４９】
図６は、店舗の前を両方向に通行する人を対象として演出照明をする、実施の形態の第１変形例に係る照明システム５ａのレイアウト図である（ただし、本図では、ベース照明装置１１の図示を省略している）。この照明システム５ａの基本構成は、実施の形態と同様であり、同じ構成要素には同じ符号を付し、その説明を省略する。以下、実施の形態と異なる点を中心に説明する（他の実施の形態の変形例についても同様）。
【００５０】
本変形例では、図６に示されるように、照明装置については、第１演出照明装置１３ａと第２演出照明装置１３ｂとで構成される。第１演出照明装置１３ａは、店舗の前を第１方向に通行する人を対象として演出照明を行う照明装置であり、そのような人の目につき易い位置（間口ａから店舗内に入って左に位置する壁）を照らす。一方、第２演出照明装置１３ｂは、店舗の前を、第１方向とは反対の第２方向に通行する人を対象として演出照明を行う照明装置であり、そのような人の目につき易い位置（間口ａから店舗内に入って右に位置する壁）を照らす。
【００５１】
また、速度検出部についても、第１速度検出部２０ａと第２速度検出部２０ｂとで構成される。第１速度検出部２０ａは、店舗の前を第１方向に通行する人を対象として地点Ａと地点Ｂとで挟まれる第１歩行速度検知エリアにいる人の歩行速度を検知するための装置であり、例えば、店舗の外から見て間口ａの右端に配置される。一方、第２速度検出部２０ｂは、店舗の前を第２方向に通行する人を対象として地点Ｃと地点Ｄとで挟まれる第２歩行速度検知エリアにいる人の歩行速度を検知するための装置であり、例えば、店舗の外から見て間口ａの左端に配置される。
【００５２】
このような構成を備える本変形例に係る照明システム５ａによれば、制御装置３０は、第１速度検出部２０ａによって検出された速度が第１閾値よりも小さい場合に、第１演出照明装置１３ａに対して、上記実施の形態と同様の演出照明を行わせる。それと並行して、制御装置３０は、第２速度検出部２０ｂによって検出された速度が第１閾値よりも小さい場合に、第２演出照明装置１３ｂに対して、上記実施の形態と同様の演出照明を行わせる。
【００５３】
これにより、店舗の前を両方向に通行する人を対象として、店舗の近くで買い回りをしている通行人がいる可能性が高いとき等、アイキャッチが望まれるタイミングにだけ演出照明が行われる。
【００５４】
また、上記実施の形態及び第１変形例では、図５に示される演出照明制御が繰り返されたが、必ずしも演出照明制御が繰り返される必要はなく、演出照明制御を抑制したい状況が発生した場合には、演出照明制御を停止してもよい。以下、演出照明制御を停止する制御が付加された、上記実施の形態の変形例（第２変形例〜第４変形例）に係る照明システムを説明する。
【００５５】
図７は、実施の形態の第２変形例に係る照明システムの動作を示すフローチャートである。本変形例では、店舗の前で低速歩行する人がいない場合に、図５に示される演出照明制御を停止する。そのために、図５に示される演出照明制御と並行して（あるいは、加えて）、図７に示される以下の制御が実行される。
【００５６】
制御装置３０は、店舗の前を上述した第１閾値以上の第２閾値以下の速度で通行する人がいるか否かを判断する（Ｓ２０）。例えば、制御装置３０は、速度検出部２０からの情報に基づいて、歩行速度検知エリアに、１．５ｍ／ｓｅｃ以下の速度で通行する人がいるか否かを判断する。
【００５７】
その結果、いると判断した場合には（Ｓ２０でＹｅｓ）、制御装置３０は、図５に示される演出照明制御Ｓ１０〜Ｓ１４を行う（Ｓ２１）。つまり、制御装置３０は、速度検出部２０によって検出された速度が第１閾値よりも小さい場合にだけ、照明装置１０（ここでは、演出照明装置１２）に対して、演出照明を行わせる制御をする。
【００５８】
一方、いないと判断した場合には（Ｓ２０でＮｏ）、制御装置３０は、図５に示される演出照明制御Ｓ１０〜Ｓ１４を停止する（Ｓ２２）。つまり、制御装置３０は、図５のステップＳ１４に相当する通常照明を行う。
【００５９】
制御装置３０は、以上の処理Ｓ２０〜Ｓ２２を、繰り返す（例えば、１０分に１回の頻度で実行する）。
【００６０】
以上のように、本変形例では、制御装置３０は、速度検出部２０が第１閾値以上の第２閾値以下の速度で通行する人を検出しない場合に、照明装置１０に演出照明を行わせる制御を停止する。
【００６１】
これにより、店舗の前を低速歩行する人がいない場合、つまり、買い回りをしている人がいる可能性がほとんどない場合には、演出照明の制御が停止される。よって、より確実に、店舗の近くで買い回りをしている通行人がいる可能性が高いとき等、アイキャッチが望まれるタイミングにだけ演出照明が行われる。
【００６２】
図８は、実施の形態の第３変形例に係る照明システム５ｂのレイアウト図である（ただし、本図では、ベース照明装置１１の図示を省略している）。上記実施の形態の構成に、照明空間７（ここでは、店舗内）にいる人の数を検出するための第１人数検出部２２が追加されている。本変形例では、第１人数検出部２２は、例えば、店舗内にいる人の数を検出するために店舗の天井の中央に設置されたカメラであり、店舗内の人を撮影した画像を制御装置３０に出力する。なお、第１人数検出部２２は、人の数を直接検出する装置だけでなく、カメラのように、人の数を検出するのに用いられる事象（例えば、画像）を取得するセンサも含まれる。つまり、第１人数検出部２２は、人の数を検出するのに用いられる事象を取得するセンサと、そのセンサから得た情報に基づいて人の数を算出する演算部（本実施の形態では、制御装置３０）とを合わせたものであってもよい。
【００６３】
図９は、本変形例に係る照明システム５ｂの動作を示すフローチャートである。本変形例では、店舗内にいる人が多い場合に、図５に示される演出照明制御を停止する。そのために、図５に示される演出照明制御と並行して（あるいは、加えて）、図９に示される以下の制御が実行される。
【００６４】
制御装置３０は、店舗内の人数（つまり、第１人数検出部２２によって検出された人の数）が第３閾値よりも大きいか否かを判断する（Ｓ３０）。例えば、制御装置３０は、第１人数検出部２２から送られてきた画像から人物抽出処理等を施すことで店舗内にいる人の数を検出し、検出した人の数が第３閾値（例えば、５人）よりも大きいか否かを判断する。
【００６５】
その結果、店舗内の人数が第３閾値よりも大きいと判断した場合には（Ｓ３０でＹｅｓ）、制御装置３０は、図５に示される演出照明制御Ｓ１０〜Ｓ１４を停止する（Ｓ３１）。つまり、制御装置３０は、図５のステップＳ１４に相当する通常照明を行う。
【００６６】
一方、店舗内の人数が第３閾値よりも大きくないと判断した場合には（Ｓ３０でＮｏ）、制御装置３０は、図５に示される演出照明制御Ｓ１０〜Ｓ１４を行う（Ｓ３２）。つまり、制御装置３０は、速度検出部２０によって検出された速度が第１閾値よりも小さい場合にだけ、照明装置１０（ここでは、演出照明装置１２）に対して、演出照明を行わせる制御をする。
【００６７】
制御装置３０は、以上の処理Ｓ３０〜Ｓ３２を、繰り返す（例えば、１０分に１回の頻度で実行する）。
【００６８】
以上のように、本変形例では、照明空間７にいる人の数を検出する第１人数検出部２２を備え、制御装置３０は、第１人数検出部２２によって検出された人の数が第３閾値よりも大きい場合に、照明装置１０に演出照明を行わせる制御を停止する。
【００６９】
これにより、店舗等の照明空間７にいる人の数が多い場合に演出照明の制御が停止されるので、店舗にいる人に対して変化する照明を長時間行うことによって気分を悪くさせてしまうことが抑制される。
【００７０】
図１０は、実施の形態の第４変形例に係る照明システム５ｃのレイアウト図である（ただし、本図では、ベース照明装置１１の図示を省略している）。上記実施の形態の構成に、照明装置１０（ここでは、演出照明装置１２）から所定の距離の範囲内にいる人の数を検出するための第２人数検出部２４が追加されている。本変形例では、第２人数検出部２４は、例えば、演出照明装置１２の近くにいる人の数を検出するために演出照明装置１２の近くに設置されたカメラであり、演出照明装置１２から所定の距離（２ｍ等）の範囲内にいる人を撮影した画像を制御装置３０に出力する。なお、第２人数検出部２４は、人の数を直接検出する装置だけでなく、カメラのように、人の数を検出するのに用いられる事象（例えば、画像）を取得するセンサも含まれる。つまり、第２人数検出部２４は、人の数を検出するのに用いられる事象を取得するセンサと、そのセンサから得た情報に基づいて人の数を算出する演算部（本実施の形態では、制御装置３０）とを合わせたものであってもよい。
【００７１】
図１１は、本変形例に係る照明システム５ｃの動作を示すフローチャートである。本変形例では、照明装置１０（ここでは、演出照明装置１２）から所定の距離の範囲内にいる人が多い場合に、図５に示される演出照明制御を停止する。そのために、図５に示される演出照明制御と並行して（あるいは、加えて）、図１１に示される以下の制御が実行される。
【００７２】
制御装置３０は、演出照明装置１２から所定の距離の範囲内にいる人の数（つまり、第２人数検出部２４によって検出された人の数）が第４閾値よりも大きいか否かを判断する（Ｓ４０）。例えば、制御装置３０は、第２人数検出部２４から送られてきた画像から人物抽出処理等を施すことで、演出照明装置１２から所定の距離の範囲内にいる人の数を検出し、検出した人の数が第４閾値（例えば、３人）よりも大きいか否かを判断する。
【００７３】
その結果、演出照明装置１２から所定の距離の範囲内にいる人の数が第４閾値よりも大きいと判断した場合には（Ｓ４０でＹｅｓ）、制御装置３０は、図５に示される演出照明制御Ｓ１０〜Ｓ１４を停止する（Ｓ４１）。つまり、制御装置３０は、図５のステップＳ１４に相当する通常照明を行う。
【００７４】
一方、演出照明装置１２から所定の距離の範囲内にいる人の数が第４閾値よりも大きくないと判断した場合には（Ｓ４０でＮｏ）、制御装置３０は、図５に示される演出照明制御Ｓ１０〜Ｓ１４を行う（Ｓ４２）。つまり、制御装置３０は、速度検出部２０によって検出された速度が第１閾値よりも小さい場合にだけ、演出照明装置１２に対して、演出照明を行わせる制御をする。
【００７５】
制御装置３０は、以上の処理Ｓ４０〜Ｓ４２を、繰り返す（例えば、１０分に１回の頻度で実行する）。
【００７６】
以上のように、本変形例では、照明装置１０から所定の距離の範囲内にいる人の数を検出する第２人数検出部２４を備える。制御装置３０は、第２人数検出部２４によって検出された人の数が第４閾値よりも大きい場合に、演出照明装置１２に演出照明を行わせる制御を停止する。
【００７７】
これにより、演出照明装置１２の近くに人がいる場合に演出照明の制御が停止されるので、より確実に、店舗にいる人に対して変化する照明を長時間行うことによって気分を悪くさせてしまうことが抑制される。
【００７８】
以上、本発明に係る照明システム及び照明装置の制御方法について、実施の形態及び変形例に基づいて説明したが、本発明は、これらの実施の形態及び変形例に限定されるものではない。本発明の主旨を逸脱しない限り、当業者が思いつく各種変形を本実施の形態及び変形例に施したものや、実施の形態及び変形例における一部の構成要素を組み合わせて構築される別の形態も、本発明の範囲内に含まれる。
【００７９】
例えば、上記実施の形態に、第１変形例、第２変形例、第３変形例及び第４変形例の全ての機能を追加した形態も、本発明に含まれる。
【００８０】
また、店舗がアパレルや雑貨店等の女性をターゲットにする店舗である場合には、店舗の前を通行する人を撮影するカメラを設け、通行人の属性（女性か男性か）に応じて、演出照明の制御を実行／停止してもよい。つまり、通行人が女性である場合に、図５に示された演出照明制御を実行し、通行人が男性である場合に、図５に示された演出照明制御を停止してもよい。
【００８１】
これにより、特に駅等の交通機関に隣接した、女性をターゲットとする店舗の場合には、駅を利用する通行人には男性が比較的多く含まれるために、このような属性を加味した制御により、意図するターゲットに絞り込んだ精度の高い制御が可能になる。なお、カメラ等を用いて通行人の属性を判断する場合には、判断にした後に画像を破棄することによって、人のプライバシーに配慮することができる。
【００８２】
また、制御装置３０又は制御装置３０と接続されたサーバ装置を用いて、各種条件（一日の時間帯、演出照明の態様）と演出照明を実行したことによる入店率の増減との関係を示すデータを蓄積し、分析してもよい。そして、入店率を増加させる可能性が高い条件が揃った場合にだけ、演出照明を実行してもよい。これにより、高い効率でアイキャッチが望まれるタイミングにだけ演出照明を行うことが可能になる。
【００８３】
また、上記実施の形態及び変形例では、照明空間７として、店舗内の空間が例示されたが、照明空間７は、これに限定されない。通行人へのアイキャッチを目的とする照明空間であれば、展示室、スポーツジム、教室等の各種施設内の空間であってもよい。
【００８４】
また、上記実施の形態及び変形例では、ベース照明装置１１は直接照明によって照明空間７を照らすダウンライト等であり、演出照明装置１２は間接照明によって照明空間７を照らすダウンライト等であったが、こられの照明態様及び器具に限定されない。ベース照明装置１１及び演出照明装置１２は、いずれも、直接照明及び間接照明のいずれであってもよいし、ベースライト等の他の照明態様及び器具であってもよい。
【００８５】
また、上記実施の形態及び変形例では、通行人の速度が第１閾値よりも小さいか否かの判断では、制御装置３０は、地点Ａを通過した人が地点Ｂを通過したことを検知し、その間の距離と時間とから算出した速度と第１閾値とを比較したが、これに限定されない。例えば、地点Ａを通過した後、予め定められた時間が経過しても地点Ｂに到達しなかった場合に、通行人の速度が第１閾値よりも小さいと判断してもよい。本発明では、「人の速度を検出し、検出した人の速度が第１閾値よりも小さい場合」とは、このように、直接、速度を検出することなく、速度が第１閾値よりも小さいことを検出するケースも含まれる。このような検出方法により、全ての通行人の速度を測定する必要がなくなるので、制御装置３０での処理負荷が軽減される。
【００８６】
また、上記実施の形態及び変形例では、歩行速度検知エリアの終点を示す地点Ｂ及び地点Ｄは、店舗の間口ａよりも通行方向の上流に所定距離だけ離れた箇所に位置したが、これに限定されない。店舗の間口ａにおける通行方向の上流側の端部であってもよい。
【００８７】
また、上記実施の形態及び変形例では、歩行速度検知エリアにいる人の歩行速度が第１閾値よりも小さいと判断した場合に、演出照明を開始したが、演出照明の開始タイミングは、これに限定されない。店舗の間口ａにおける通行方向の上流側の端部に人を検知するセンサを設け、そのセンサが人を検知した場合に、演出照明を開始してもよい。これにより、店舗の前を通行する人が間口ａに到達した時点で、確実に演出照明が開始される。
【００８８】
また、上記実施の形態及び変形例では、速度検出部２０は、検知した人の位置を示す情報を出力する赤外線測距レーダーであったが、これに限定されない。人の速度を特定するのに必要な情報（速度、位置、移動距離等）を取得するセンサであれば、カメラ、超音波センサ等の他のセンサであってもよい。同様に、第１人数検出部２２及び第２人数検出部２４は、人の数を検出するために撮影した画像を出力するカメラあったが、これに限定されない。人の数を特定するのに必要な情報を取得するセンサであれば、人感センサ等の他のセンサであってもよい。
【００８９】
また、上記実施の形態及び変形例では、制御装置３０と端末装置４０とは別体の装置であったが、ライコン（ライトコントロール装置）のように、これらが一体になっていてもよい。
【００９０】
また、上記実施の形態及び変形例では、演出照明として、平均的な速度で通行する人が間口ａを通過する時間を周期として、所定の色温度等の光の位置を移動させたり、複数の照明器具を同じ色温度等で、かつ、同じタイミングで徐々に変化させたりした。しかしながら、演出照明の態様は、このような照明の周期、及び、変化態様に限定されない。周囲の明るさや色温度によっては照明光の見え方が異なるために、照明の周期については、周囲の状況に依存して適切に決めればよい。また、色温度の変化幅等の変化態様についても、店舗の特性等に依存して適切に決めればよい。
【００９１】
また、上記実施の形態及び変形例では、照明器具１１ａ〜１１ｉ及び１２ａ〜１２ｆは、いずれも、同様の構成を備えたが、これに限定されない。例えば、ベース照明装置１１を構成する照明器具１１ａ〜１１ｉは、演出照明装置１２と異なり、色温度が固定の光源を備えてもよい。
【符号の説明】
【００９２】
５、５ａ、５ｂ、５ｃ  照明システム
７  照明空間
１０  照明装置
１１ａ〜１１ｉ、１２ａ〜１２ｆ  照明器具
１２  演出照明装置
２０  速度検出部
２２  第１人数検出部
２４  第２人数検出部
３０  制御装置
【図１】
2018056009.tif 000003
【図２】
2018056009.tif 000004
【図３】
2018056009.tif 000005
【図４】
2018056009.tif 000006
【図５】
2018056009.tif 000007
【図６】
2018056009.tif 000008
【図７】
2018056009.tif 000009
【図８】
2018056009.tif 000010
【図９】
2018056009.tif 000011
【図１０】
2018056009.tif 000012
【図１１】
2018056009.tif 000013